(57)【要約】【課題】偏光分離素子等を構成する光学ガラスの熱膨張に起因するレジストレーションずれやフォーカス変動が防止され、表示画像における色むらや輝度むら等が抑えられ、また、鉛を含まない材料を使用することにより、環境問題に対応し、生産性に優れ製造コストが低廉な画像表示装置を提供する。【解決手段】入射側偏光素子（プリボラライザ）４より、空間光変調素子７及び偏光ビームスプリッタ５を経て、出射側偏光素子（アナライザ）８に至る光路中に配置される光学素子を、鉛を含まず、線膨張係数が、６．０×１０−７よりも小さい透明材料により形成する。【選択図】図１
2005309035.tif 000002
【特許請求の範囲】
【請求項１】
光源と、
前記光源から出射される光束を第１の偏光光にする入射側偏光素子と、
前記入射側偏光素子から出射される前記第１の偏光光を反射、又は透過させる偏光分離素子と、
前記偏光分離素子から反射、又は透過した前記第１の偏光光を画像信号に応じて光変調した後、第２の偏光光として反射させる空間光変調素子と、
前記偏光分離素子を介して、前記空間光変調素子から前記第２の偏光光以外の偏光光を除去する出射側偏光素子と、
前記出射側偏光素子から出射される前記第２の偏光光を結像させる結像光学系と、
からなり、
前記入射側偏光素子、前記出射側偏光素子及び前記出射側偏光素子の光学素子は、鉛を含まず、線膨張係数が６．０×１０−７よりも小さい透明材料からなることを特徴とする画像表示装置。
【発明の詳細な説明】
【技術分野】
【０００１】
本発明は、例えば、液晶プロジェクタ装置のように、空間光変調素子及び光源を有して構成される画像表示装置に関する。
【背景技術】
【０００２】
従来、反射型液晶空間光変調素子を用いた投射型画像表示装置が提案されている。このような画像表示装置は、光源と、この光源から発せられた光束によって空間光変調素子を照明する照明光学系と、この空間光変調素子によって変調された変調光をスクリーンに投射して結像させる結像光学系とを有して構成されている。
【０００３】
反射型液晶空間光変調素子は、入射された光束を、外部から供給される画像信号に応じて、画素ごとに偏光状態を変調させて反射する素子である。
【０００４】
このような画像表示装置においては、空間光変調素子によって変調された変調光と、空間光変調素子に入射する未変調光とを、偏光ビームスプリッタの如き偏光分離素子によって分離させ、さらに、出射側偏光素子（アナライザ）を透過させることによって、所定の方向の偏光成分のみが結像光学系に入射されるようにしている。
【０００５】
前述のような画像表示装置においては、一般に、画像形成のための偏光分離素子としては、光学ガラスからなる偏光ビームスプリッタ（ＰＢＳ）が使用されている。
【０００６】
そして、空間光変調素子として反射型液晶素子を使用した画像表示装置においては、反射型液晶素子と偏光分離素子の間の光路において、光束の偏光状態がごくわずかでも乱れると、表示画像におけるコントラストの低下や、色むらなどが発生する。そのため、偏光ビームスプリッタ等をなす材料として用いることができる光学ガラスは、特許文献１に記載されているように、光弾性定数の小さいガラスである。
【特許文献１】特開平８−２３４１７９号公報
【発明の開示】
【発明が解決しようとする課題】
【０００７】
とことで、このような光弾性定数の小さいガラスは、PbOとして鉛を多く含んでおり、かつ、線膨張係数が８０×１０−７乃至１００×１０−７程度と大きい。ガラスの線膨張係数が大きいと、このガラスの表面に誘電体多層膜を形成して偏光ビームスプリッタを製造するときに、真空蒸着の過程で生じるガラスの温度変化により、多層膜にひび割れが生じ易く、生産歩留まりが低下する。そして、誘電体多層膜のひび割れの発生を防ぐには、蒸着終了時に降温する際に、長時間をかけて温度を下げなければならず、製造コストが上昇してしまう。
【０００８】
また、このような画像表示装置においては、偏光ビームスプリッタ等をなすガラスの線膨張係数が大きいため、光源の発光出力を、例えば、４０００ｌｍを超えるような高出力とすると、偏光ビームスプリッタ等の光学素子をなすガラスが加熱されて熱膨張してしまい、いわゆるレジストレーションずれやフォーカス変動が発生する。そのため、このような画像表示装置においては、動作開始直後の初期状態と、一定時間動作した後とでは、フォーカス位置やレジストレーションの状態が変化してしまう。
【０００９】
さらに、鉛を多く含んだ光学ガラスは、近年注目されている環境問題という見地からは、鉛を含まない光学ガラスに転換されることが望ましい。また、鉛を含んだ光学ガラスを加工する場合には、加工場所が限られるうえ、その加工場所においては、鉛が外部に流出しないような特別な管理体制が必要となり、製造コストを上昇させる要因ともなる。
【００１０】
そこで、本発明は、前述の課題を解決するために提案されたものであり、偏光分離素子等を構成する光学ガラスの熱膨張に起因するレジストレーションずれやフォーカス変動が防止され、表示画像における色むらや輝度むら等が抑えられ、また、鉛を含まない材料を使用することにより、環境問題に対応できるとともに、生産性に優れ、製造コストを低廉とすることができる画像表示装置を提供することを目的とする。
【課題を解決するための手段】
【００１１】
本発明に係る画像表示装置は、光源と、前記光源から出射される光束を第１の偏光光にする入射側偏光素子と、前記入射側偏光素子から出射される前記第１の偏光光を反射、又は透過させる偏光分離素子と、前記偏光分離素子から反射、又は透過した前記第１の偏光光を画像信号に応じて光変調した後、第２の偏光光として反射させる空間光変調素子と、前記偏光分離素子を介して、前記空間光変調素子から前記第２の偏光光以外の偏光光を除去する出射側偏光素子と、前記出射側偏光素子から出射される前記第２の偏光光を結像させる結像光学系と、からなり、前記入射側偏光素子、前記出射側偏光素子及び前記出射側偏光素子の光学素子は、鉛を含まず、線膨張係数が６．０×１０−７よりも小さい透明材料からなることを特徴とするものである。
【００１２】
この画像表示装置においては、入射側偏光素子より、空間光変調素子及び偏光分離素子を経て、出射側偏光素子に至る光路中に配置される光学素子が光束の吸収によって発熱しても、熱変形や歪みが生じず、表示画像の歪みや位置ずれが生ずることがない。
【発明の効果】
【００１３】
本発明に係る画像表示装置においては、入射側偏光素子より、空間光変調素子及び偏光分離素子を経て、出射側偏光素子に至る光路中に配置される光学素子は、鉛を含まず、線膨張係数が、６．０×１０−７よりも小さい透明材料により形成されているので、この光学素子が光束の吸収によって発熱しても、熱変形や歪みが生じず、表示画像の歪みや位置ずれが生ずることがない。
【００１４】
また、この画像表示装置においては、これら光学素子を形成する透明材料の熱膨張が少ないことにより、光学素子が発熱しても、この光学素子における内部応力の発生が少なく、光学素子をなす材料の光弾性定数が小さくない場合であっても、偏光状態の乱れが生ずることがなく、表示画像における色むら、輝度むらやコントラスト低下が発生しない。
【００１５】
さらに、これら光学素子を形成する透明材料としては、鉛を含まないものを選択することができる。
【００１６】
すなわち、本発明は、偏光分離素子等を構成する光学ガラスの熱膨張に起因するレジストレーションずれやフォーカス変動が防止され、表示画像における色むらや輝度むら等が抑えられ、また、鉛を含まない材料を使用することにより、環境問題に対応できるとともに、生産性に優れ、製造コストを低廉とすることができる画像表示装置を提供することができるものである。
【発明を実施するための最良の形態】
【００１７】
以下、本発明に係る画像表示装置の実施の形態について、図面を参照して詳細に説明する。
【００１８】
図１は、本発明に係る画像表示装置の第１の構成を示す側面図である。
【００１９】
本発明に係る画像表示装置は、図１に示すように、光源ランプ１を有している。この光源ランプ１は、光源２と、この光源２から出射された照明光を光軸Ａ方向に反射するリフレクタ３とを有して構成されている。光源２としては、高圧水銀ランプ、メタルハライドランプ等の白色光を出射するものを用いる。リフレクタ３は、光軸Ａを軸とした回転楕円面の反射面を有し、光源２から出射された照明光を反射面で反射して収束光束として出射する。
【００２０】
光源ランプ１から発せられた照明光は、入射側偏光素子（プリボラライザ）４を透過することにより、Ｓ偏光、または、Ｐ偏光に揃えられる。この入射側偏光素子４としては、偏光フィルタの他、複数の偏光ビームスプリッタが並列されて構成されたいわゆるＰＳコンバイナを用いることができる。
【００２１】
入射側偏光素子４を経た照明光は、図示しないインテグレータを経て照度を均一化され、偏光分離素子となる偏光ビームスプリッタ５に入射される。この偏光ビームスプリッタ５は、誘電体多層膜からなる偏光分離膜５ａを有しており、入射側偏光素子４からの入射光の光軸Ａ上の光線が偏光分離膜５ａに対して４５°の入射角で入射されるように配置されている。この偏光ビームスプリッタ５において、入射光の偏光方向は、偏光分離膜５ａに対するＳ偏光となっている。したがって、この照明光は、偏光分離膜５ａにおいて反射され、位相差板６を経て、空間光変調素子となる反射型液晶空間光変調素子７に入射する。
【００２２】
位相差板６は、照明光の偏光方向を調整するためのものである。そして、反射型液晶空間光変調素子７は、外部から供給される画像信号に応じて、照明光の偏光方向を変調して反射する。
【００２３】
反射型液晶空間光変調素子７において偏光方向を変調された変調光は、位相差板６を経て、偏光ビームスプリッタ５に戻る。この偏光ビームスプリッタ５において、反射型液晶空間光変調素子７によって変調された変調光の偏光方向は、偏光分離膜５ａに対するＰ偏光となっている。したがって、この変調光は、偏光分離膜５ａを透過し、この偏光ビームスプリッタ５から出射される。すなわち、偏光ビームスプリッタ５は、反射型液晶空間光変調素子７によって変調された成分を、光源２側に戻る光路とは異なる光路に向けて出射させる。偏光ビームスプリッタ５から出射された変調光は、出射側偏光素子（アナライザ）８を透過して、結像光学系となる投射レンズ９に入射される。出射側偏光素子８は、所定の方向の偏光成分を透過させ、この所定の方向以外の偏光成分を遮断することによって、余分な偏光成分を除去するためのフィルタである。
【００２４】
投射レンズ９は、入射された変調光を、図示しないスクリーン上に投射して結像させ、画像表示を行う。
【００２５】
この画像表示装置においては、入射側偏光素子４より、反射型液晶空間光変調素子７及び偏光ビームスプリッタ５を経て、出射側偏光素子８に至る光路中に配置される光学素子は、鉛（PbO）を含まず線膨張係数が６．０×１０−７より小さい透明材料である光学ガラスにより形成されているため、これら光学素子が光束の吸収によって発熱しても、熱変形やゆがみが生じず、表示画像の歪みや位置ずれ、レジストレーションずれやフォーカス変動が発生することがない。また、この画像表示装置においては、これら光学素子の熱膨張が少ないことにより、これら光学素子が発熱しても、これら光学素子における内部応力の発生が少なく、これら光学素子の光弾性定数が小さくない場合であっても、偏光状態の乱れが生ずることがなく、表示画像における色むら、輝度むらやコントラスト低下が発生しない。
【００２６】
このように、鉛（PbO）を含まず、線膨張係数が６．０×１０−７より小さい光学ガラスとしては、合成石英、溶融石英、ネオセラム（商品名：日本電気硝子社製）、クリアセラム（商品名：オハラ株式会社製）、ＵＬＥ（商品名：コーニング社製）、バイコール（商品名：コーニング社製）及びゼロデュア（商品名：ショット社製）などを挙げることができる。
【００２７】
また、これら光学素子においては、線膨張係数が小さいことにより、誘電体多層膜を蒸着により形成する場合において、従来の光学ガラスにおいて発生していたひび割れが発生しない。
【００２８】
さらに、これら光学素子を形成する光学ガラスは、鉛（PbO）を含まないので、加工場所を任意に選ぶことができ、製造コストを低廉化することができる。
【００２９】
図２は、本発明に係る画像表示装置の第２の構成を示す側面図である。
【００３０】
また、本発明に係る画像表示装置は、図２に示すように、光源ランプ１からの照明光が偏光ビームスプリッタ５を透過して反射型液晶空間光変調素子７に到達するように構成することもできる。
【００３１】
すなわち、この画像表示装置において、光源２及びリフレクタ３を有する光源ランプ１から発せられた照明光は、入射側偏光素子４を透過することにより、Ｓ偏光、または、Ｐ偏光に揃えられ、偏光ビームスプリッタ５に入射される。この偏光ビームスプリッタ５は、誘電体多層膜からなる偏光分離膜５ａを有しており、入射側偏光素子４からの入射光の光軸Ａ上の光線が偏光分離膜５ａに対して４５°の入射角で入射されるように配置されている。この偏光ビームスプリッタ５において、入射光の偏光方向は、偏光分離膜５ａに対するＰ偏光となっている。したがって、この照明光は、偏光分離膜５ａを透過し、位相差板６を経て、空間光変調素子となる反射型液晶空間光変調素子７に入射する。
【００３２】
反射型液晶空間光変調素子７は、外部から供給される画像信号に応じて、照明光の偏光方向を変調して反射する。反射型液晶空間光変調素子７において偏光方向を変調された変調光は、位相差板６を経て、偏光ビームスプリッタ５に戻る。
【００３３】
この偏光ビームスプリッタ５において、反射型液晶空間光変調素子７によって変調された変調光の偏光方向は、偏光分離膜５ａに対するＳ偏光となっている。したがって、この変調光は、偏光分離膜５ａにおいて反射され、この偏光ビームスプリッタ５から出射される。すなわち、偏光ビームスプリッタ５は、反射型液晶空間光変調素子７によって変調された成分を、光源２側に戻る光路とは異なる光路に向けて出射させる。偏光ビームスプリッタ５から出射された変調光は、出射側偏光素子（アナライザ）８を透過して、投射レンズ９に入射される。出射側偏光素子８は、所定の方向の偏光成分を透過させ、この所定の方向以外の偏光成分を遮断することによって、余分な偏光成分を除去するためのフィルタである。
【００３４】
投射レンズ９は、入射された変調光を、図示しないスクリーン上に投射して結像させ、画像表示を行う。
【００３５】
この画像表示装置においても、入射側偏光素子４より、反射型液晶空間光変調素子７及び偏光ビームスプリッタ５を経て、出射側偏光素子８に至る光路中に配置される光学素子は、鉛（PbO）を含まず線膨張係数が６．０×１０−７より小さい透明材料である光学ガラスにより形成されているため、これら光学素子が光束の吸収によって発熱しても、熱変形やゆがみが生じず、表示画像の歪みや位置ずれ、レジストレーションずれやフォーカス変動が発生することがない。また、この画像表示装置においては、これら光学素子の熱膨張が少ないことにより、これら光学素子が発熱しても、これら光学素子における内部応力の発生が少なく、これら光学素子の光弾性定数が小さくない場合であっても、偏光状態の乱れが生ずることがなく、表示画像における色むら、輝度むらやコントラスト低下が発生しない。
【００３６】
図３は、本発明に係る画像表示装置の第３の構成を示す側面図である。
【００３７】
また、本発明に係る画像表示装置は、図３に示すように、偏光分離素子として、反射型偏光分離素子（プレート型偏光ビームスプリッタ）を用いて構成することもできる。
【００３８】
この画像表示装置において、光源２及びリフレクタ３を有する光源ランプ１から発せられた照明光は、入射側偏光素子４を透過することにより、Ｓ偏光、または、Ｐ偏光に揃えられ、反射型偏光分離素子であるワイヤグリッドボラライザ１０に入射される。このワイヤグリッドボラライザ１０は、ワイヤグリッドが形成された表面部を入射側偏光素子４の側に向けるとともに、この入射側偏光素子４からの入射光の光軸Ａ上の光線が４５°の入射角で入射されるように配置されている。
【００３９】
このワイヤグリッドボラライザ１０は、基板ガラス１０ａ上に、アルミニウムやタングステンの如き金属等からなる微細な櫛形状のワイヤグリッドを形成した素子である。
【００４０】
このワイヤグリッドボラライザ１０は、ワイヤグリッドが形成された側の面への入射光について、偏光分離を行う。すなわち、このワイヤグリッドポラライザは、櫛形状のワイヤに平行な偏波成分は反射し、直交する成分は透過させる性質を有している。このワイヤグリッド１０をなすワイヤは、線径が数μｍ乃至数十μm、ワイヤ間隔が数十μｍ乃至数百μｍとなされて形成されている。なお、このワイヤグリッド１０は、このような性質を利用して、偏波分離を始めとして、偏波を用いた周波数分別やサイドバンド除去フィルタ等の種々の用途に使用される。
【００４１】
このワイヤグリッドボラライザ１０において、入射光の偏光方向は、ワイヤグリッドをなすワイヤに平行な方向となっている。したがって、この照明光は、ワイヤグリッドにおいて反射され、位相差板６を経て、反射型液晶空間光変調素子７に入射する。
【００４２】
位相差板６は、照明光の偏光方向を調整するためのものである。そして、反射型液晶空間光変調素子７は、外部から供給される画像信号に応じて、照明光の偏光方向を変調して反射する。
【００４３】
反射型液晶空間光変調素子７において偏光方向を変調された変調光は、位相差板６を経て、ワイヤグリッドボラライザ１０に戻る。このワイヤグリッドボラライザ１０において、反射型液晶空間光変調素子７によって変調された変調光の偏光方向は、ワイヤグリッドをなすワイヤに直交する方向となっている。したがって、この変調光は、ワイヤグリッドを透過し、このワイヤグリッドボラライザ１０の基板ガラス１０ａを透過して、出射側偏光素子（アナライザ）８を透過して、投射レンズ９に入射される。すなわち、ワイヤグリッドボラライザ１０は、反射型液晶空間光変調素子７によって変調された成分を、光源２側に戻る光路とは異なる光路に向けて出射させる。
【００４４】
ワイヤグリッドボラライザ１０から出射された変調光は、出射側偏光素子（アナライザ）８を透過して、投射レンズ９に入射される。出射側偏光素子８は、所定の方向の偏光成分を透過させ、この所定の方向以外の偏光成分を遮断することによって、余分な偏光成分を除去するためのフィルタである。
【００４５】
投射レンズ９は、入射された変調光を、図示しないスクリーン上に投射して結像させ、画像表示を行う。
【００４６】
この画像表示装置においても、入射側偏光素子４より、反射型液晶空間光変調素子７及びワイヤグリッドボラライザ１０を経て、出射側偏光素子８に至る光路中に配置される光学素子は、鉛（PbO）を含まず線膨張係数が６．０×１０−７より小さい透明材料である光学ガラスにより形成されているため、これら光学素子が光束の吸収によって発熱しても、熱変形やゆがみが生じず、表示画像の歪みや位置ずれ、レジストレーションずれやフォーカス変動が発生することがない。また、この画像表示装置においては、これら光学素子の熱膨張が少ないことにより、これら光学素子が発熱しても、これら光学素子における内部応力の発生が少なく、これら光学素子の光弾性定数が小さくない場合であっても、偏光状態の乱れが生ずることがなく、表示画像における色むら、輝度むらやコントラスト低下が発生しない。
【００４７】
また、ワイヤグリッドボラライザ１０の基板ガラス１０ａは、厚さが１．０ｍｍ以下となされている。そして、この基板ガラス１０ａには、ワイヤグリッドが形成される表面部及び裏面部に、反射肪止コーティングが施されている。この反射防止コーティングは、使用波長域、例えば、４２０ｎｍ乃至６８０ｎｍにおいて、絶対反射率が０．５％以下となるように形成されている。
【００４８】
この画像表示装置においては、ワイヤグリッドボラライザ１０の基板ガラス１０ａの線膨張係数が充分に小さいため、ワイヤグリッドボラライザ１０においてワイヤグリッドが光束の吸収によって発熱しても、基板ガラス１０ａの熱変形やゆがみが生じず、表示画像の歪みや位置ずれが生ずることがない。また、この画像表示装置においては、基板ガラス１０ａの熱膨張が少ないことにより、ワイヤグリッドが発熱しても、基板ガラス１０ａにおける内部応力の発生が少なく、基板ガラス１０ａの光弾性定数が小さくない場合であっても、偏光状態の乱れが生ずることがなく、表示画像における色むら、輝度むらやコントラスト低下が発生しない。
【００４９】
さらに、この画像表示装置においては、ワイヤグリッドボラライザ１０の基板ガラス１０ａの厚みが１．０ｍｍ以下となっていることにより、この基板ガラス１０ａを透過する光束における非点収差の発生が少なく、投射レンズ９における非点収差の補正を少なく抑えることができ、投射レンズ９の設計を容易化することができる。
【００５０】
また、この画像表示装置においては、ワイヤグリッドボラライザ１０の基板ガラス１０ａの両面に反射防止コーティングが施されていることにより、フレネル反射ロスがなくなり、表示画像を高輝度化することが可能となり、また、光源ランプ１からの照明光の利用効率を良好とすることができる。なお、基板ガラス１０ａに反射防止コーティングを施さない場合には、約４％程度のフレネル反射ロスが生ずる。そして、これら反射防止コーティングにより、基板ガラス１０ａの表面反射率を０．５％以下とすることにより、表示画像におけるゴースト像の発生を抑制することが可能となる。
【００５１】
図４は、本発明に係る画像表示装置の第４の構成を示す側面図である。
【００５２】
また、本発明に係る画像表示装置は、図４に示すように、光源ランプ１からの照明光がワイヤグリッドボラライザ１０を透過して反射型液晶空間光変調素子７に到達するように構成することもできる。
【００５３】
すなわち、この画像表示装置において、光源２及びリフレクタ３を有する光源ランプ１から発せられた照明光は、入射側偏光素子４を透過することにより、Ｓ偏光、または、Ｐ偏光に揃えられ、ワイヤグリッドボラライザ１０に入射される。このワイヤグリッドボラライザ１０は、ワイヤグリッドが形成されていない裏面部を入射側偏光素子４の側に向けるとともに、この入射側偏光素子４からの入射光の光軸Ａ上の光線が４５°の入射角で入射されるように配置されている。
【００５４】
このワイヤグリッドボラライザ１０において、入射光の偏光方向は、ワイヤグリッドをなすワイヤに直交する方向となっている。したがって、この照明光は、ワイヤグリッドボラライザ１０の基板ガラス１０ａ及びワイヤグリッドを透過し、位相差板６を経て、反射型液晶空間光変調素子７に入射する。
【００５５】
反射型液晶空間光変調素子７は、外部から供給される画像信号に応じて、照明光の偏光方向を変調して反射する。反射型液晶空間光変調素子７において偏光方向を変調された変調光は、位相差板６を経て、ワイヤグリッドボラライザ１０に戻る。
【００５６】
このワイヤグリッドボラライザ１０において、反射型液晶空間光変調素子７によって変調された変調光の偏光方向は、ワイヤグリッドをなすワイヤに平行な方向となっている。したがって、この変調光は、ワイヤグリッドにより反射され、出射側偏光素子（アナライザ）１１を透過して、投射レンズ９に入射される。投射レンズ９は、入射された変調光を、図示しないスクリーン上に投射して結像させ、画像表示を行う。
【００５７】
この画像表示装置においても、入射側偏光素子４より、反射型液晶空間光変調素子７及びワイヤグリッドボラライザ１０を経て、出射側偏光素子８に至る光路中に配置される光学素子は、鉛（PbO）を含まず線膨張係数が６．０×１０−７より小さい透明材料である光学ガラスにより形成されているため、これら光学素子が光束の吸収によって発熱しても、熱変形やゆがみが生じず、表示画像の歪みや位置ずれ、レジストレーションずれやフォーカス変動が発生することがない。また、この画像表示装置においては、これら光学素子の熱膨張が少ないことにより、これら光学素子が発熱しても、これら光学素子における内部応力の発生が少なく、これら光学素子の光弾性定数が小さくない場合であっても、偏光状態の乱れが生ずることがなく、表示画像における色むら、輝度むらやコントラスト低下が発生しない。
【００５８】
また、ワイヤグリッドボラライザ１０の基板ガラス１０ａは、厚さが１．０ｍｍ以下となされている。そして、この基板ガラス１０ａには、ワイヤグリッドが形成される表面部及び裏面部に、反射肪止コーティングが施されている。この反射防止コーティングは、使用波長域、例えば、４２０ｎｍ乃至６８０ｎｍにおいて、絶対反射率が０．５％以下となるように形成されている。
【００５９】
この画像表示装置においては、ワイヤグリッドボラライザ１０の基板ガラス１０ａの厚みが１．０ｍｍ以下となっていることにより、この基板ガラス１０ａを透過する光束における非点収差の発生が少なく、投射レンズ９における非点収差の補正を少なく抑えることができ、投射レンズ９の設計を容易化することができる。
【００６０】
また、この画像表示装置においては、ワイヤグリッドボラライザ１０の基板ガラス１０ａの両面に反射防止コーティングが施されていることにより、フレネル反射ロスがなくなり、表示画像を高輝度化することが可能となり、また、光源ランプからの照明光の利用効率を良好とすることができる。
【００６１】
そして、これら反射防止コーティングにより、基板ガラスの表面反射率を０．５％以下とすることにより、表示画像におけるゴースト像の発生を抑制することが可能となる。特に、表示画像のコントラストを１０００：１以上とする場合においては、基板ガラス１０ａの表面反射率を０．２％以下とし、表示画像のコントラストを２０００：１以上とする場合においては、基板ガラス１０ａの表面反射率を０．０５％以下とすることが望ましい。
【００６２】
なお、これらの効果は、図３に示したような、光源ランプ１からの照明光がワイヤグリッドボラライザ１０により反射されて反射型液晶空間光変調素子７に到達する構成よりも、図４に示すような、光源ランプ１からの照明光がワイヤグリッドボラライザ１０を透過して反射型液晶空間光変調素子７に到達する構成において顕著である。
【図面の簡単な説明】
【００６３】
【図１】本発明に係る画像表示装置の第１の構成を示す側面図である。
【図２】本発明に係る画像表示装置の第２の構成を示す側面図である。
【図３】本発明に係る画像表示装置の第３の構成を示す側面図である。
【図４】本発明に係る画像表示装置の第４の構成を示す側面図である。
【符号の説明】
【００６４】
１  光源ランプ
４  入射側偏光素子
５  偏光ビームスプリッタ
７  反射型液晶空間光変調素子
８  出射側偏光素子
９  投射レンズ
１０  ワイヤグリッドボラライザ
【図１】
2005309035.tif 000003
【図２】
2005309035.tif 000004
【図３】
2005309035.tif 000005
【図４】
2005309035.tif 000006